(57)【要約】【課題】複数の基地局から送信されるデータを受信し、正しく受信できた基地局のデータを選択して組み合わせる選択合成時に、消費電力を低減することのできるセルサーチ処理装置、セルサーチ処理装置を搭載した移動局及びセルサーチ処理方法を提供する。【解決手段】各基地局の同期用無線チャネルの受信電界強度等の回線品質を測定するＣＰＩＣＨレベル測定部２０３と、各基地局のデータ送信タイミングを記憶する送信タイミング記憶部２０５と、セル選択部２０４とを備え、同じデータが送信されるタイミング差に基づき、基地局選択に用いる回線品質に対する閾値を切り替えて、選択合成対象の基地局を選択することによって、受信する基地局のデータ数を減らし、消費電力の低減を図る。【選択図】図２
2006186519.tif 000002
【特許請求の範囲】
【請求項１】
複数の基地局の同期用無線チャネルの回線品質を測定する回線品質測定手段および、前記複数の基地局の同じデータが送信されるタイミング差を記憶する送信タイミング記憶手段を備え、前記タイミング差によって前記同期用無線チャネルの受信品質に対する閾値を切り替えて、受信対象基地局を選択するセル選択手段を有することを特徴とするセルサーチ処理装置。
【請求項２】
前記セル選択手段は前記測定した回線品質が最も高い基地局を選択し、前記同期用無線チャネルの回線品質に対する閾値を、選択をした基地局よりも同じデータが送信されるタイミングが遅い基地局の場合は前記回線品質よりも低い値に設定し、選択した回線品質が最も高い基地局以外の基地局は、回線品質が前記で設定した閾値以上であり、かつ閾値からマージンが大きい基地局を順に選択をすることを特徴とする請求項１に記載のセルサーチ処理装置。
【請求項３】
前記セル選択手段は前記回線品質が予め定めた閾値以上の基地局の中で最も高い基地局を選択し、前記同期用無線チャネルの回線品質に対する閾値を前記予め定めた閾値よりも低く設定し、先に選択した基地局以外の基地局は、回線品質が設定した閾値以上の基地局の中で閾値からマージンが大きい基地局を順に選択することを特徴とする請求項１に記載のセルサーチ処理装置。
【請求項４】
前記セル選択手段は前記測定した回線品質が最も高い基地局を選択し、前記同期用無線チャネルの回線品質に対する閾値を、選択した基地局よりも同じデータが送信されるタイミングが早い基地局の場合は前記回線品質よりも低い値に設定し、選択した基地局よりも同じデータが送信されるタイミングが遅い基地局の場合は早い基地局の場合よりもさらに低く設定し、先に選択した基地局以外の基地局は、回線品質が設定した双方の閾値以上の基地局の中で、双方の閾値からマージンが大きい基地局を順に選択することを特徴とする請求項１に記載のセルサーチ処理装置。
【請求項５】
前記設定した閾値は、選択した最も高い回線品質のレベルに応じて設定されることを特徴とする請求項２から請求項４のいずれかに記載のセルサーチ処理装置。
【請求項６】
前記請求項１から請求項５のいずれかに記載のセルサーチ処理装置を搭載した移動局。
【請求項７】
複数の基地局の同期用無線チャネルの回線品質を測定する回線品質測定ステップおよび、前記複数の基地局の同じデータが送信されるタイミング差を記憶する送信タイミング記憶ステップを備え、セル選択の際には、前記送信タイミング記憶ステップにて記憶された送信タイミング差を参照し、前記タイミング差によって前記同期用無線チャネルの回線品質に対する閾値を切り替えて、受信対象基地局を選択するセル選択ステップを有することを特徴とするセルサーチ処理方法。
【請求項８】
前記セル選択ステップは、セル選択の際には、前記測定した回線品質が最も高い基地局を選択し、前記同期用無線チャネルの回線品質に対する閾値を、選択をした基地局よりも同じデータが送信されるタイミングが遅い基地局の場合は前記回線品質よりも低い値に設定し、先に選択した基地局以外の基地局は、回線品質が設定した閾値以上の基地局の中で閾値からマージンが大きい基地局を順に選択をすることを特徴とする請求項７に記載のセルサーチ処理方法。
【請求項９】
前記セル選択ステップは、セル選択の際には、前記回線品質が予め定めた閾値以上の基地局の中で最も高い基地局を選択し、前記同期用無線チャネルの回線品質に対する閾値を前
記予め定めた閾値よりも低く設定し、先に選択した基地局以外の基地局は、回線品質が設定した閾値以上の基地局の中で閾値からマージンが大きい基地局を順に選択することを特徴とする請求項７に記載のセルサーチ処理方法。
【請求項１０】
前記セル選択ステップは、セル選択の際には、前記測定した回線品質が最も高い基地局を選択し、前記同期用無線チャネルの回線品質に対する閾値を、選択した基地局よりも同じデータが送信されるタイミングが早い基地局の場合は前記回線品質よりも低い値に設定し、選択した基地局よりも同じデータが送信されるタイミングが遅い基地局の場合は早い基地局の場合よりもさらに低く設定し、先に選択した基地局以外の受信対象の基地局は、回線品質が設定した双方の閾値以上の基地局の中で、双方の閾値からマージンが大きい基地局を順に選択することを特徴とする請求項７に記載のセルサーチ処理方法。
【請求項１１】
前記設定した閾値は、選択した最も高い回線品質のレベルに応じて設定されることを特徴とする請求項７から請求項１０のいずれかに記載のセルサーチ処理方法。
【発明の詳細な説明】
【技術分野】
【０００１】
本発明は移動体通信システムにおける移動局に搭載するセルサーチ処理装置及びセルサーチ処理方法に関し、特にＣＤＭＡ通信等に用いて好適なセルサーチ処理装置及びセルサーチ処理方法に関するものである。
【背景技術】
【０００２】
現在普及している携帯電話装置等の移動通信システムでは、無線エリアを「セル」と呼ばれる複数の無線エリアに分割し、各セル毎に基地局を配備して当該セル内に移動してきた移動局との通信を行うことにより、移動局は最も回線品質の良い基地局と通信を行う構成を取っている。各基地局は、移動局の同期用無線チャネルの信号を常に固定送信電力で送信している。その送信された電波は、減衰しながら空間を伝播し、その伝播距離が遠くなればなるほどその減衰量が増える性質を持っている。従って、移動局がこの送信された電波を受信すると、近い基地局からの同期用無線チャネルの回線品質が良好となり、遠い基地局からの同期用無線チャネルの回線品質が悪い結果となる。
【０００３】
待ち受け中の移動局は、この同期用無線チャネルの回線品質を測定し監視することにより、通信に最適な基地局の同期用無線チャネルを見つけ出し、その後、通信に最適な基地局で待ち受け動作に入ることで発呼、着信に備える。この同期用無線チャネルを見つけ出し、見つけ出した同期用無線チャネルの回線品質を測定することを「セルサーチ」と言う。移動局が移動すると、各基地局から到来する同期用無線チャネルの状況は変化する。従って、移動局は常にこのセルサーチを行い、通信に最適な基地局を選び出して最適な基地局で待ち受け動作に入ることが、発呼率、着信率を維持する為に重要である。
【０００４】
また、受信性能を向上させるため、複数の基地局から同じ情報をのせたデータを送信し、移動局において、基地局ごとに独立にデータを復号して、正しく誤り訂正処理された基地局からのデータを選択して組み合わせて、最終的な復号データとする選択合成を行う場合がある。 但し、この複数の基地局からの同じ情報をのせたデータの送信タイミングは、複数の基地局間で送信するタイミングを同期させていない。
【０００５】
従来のセルサーチ処理装置及びセルサーチ処理方法は、各基地局の同期用無線チャネルの受信電界強度等の回線品質を測定し、回線品質の良い基地局から順に接続すべき基地局として選択している。そして、選択した基地局について、パス選択、逆拡散、レイク合成、誤り訂正処理を行っている。また、複数基地局からの特定データ受信に選択合成を用いる際のセルサーチ処理装置及びセルサーチ処理方法も同様な方法を用いている。
【０００６】
図１４に従来例の複数の基地局からの同期用無線チャネルの回線品質のレベルと時間との関係の一例を示す。図１４は横軸が時間、縦軸が回線品質のレベルを示しており、回線品質のレベルが高いほど回線品質が良いことを意味する。さらに、各基地局について識別のためにＡ〜Ｅを付している。基地局Ａ、基地局Ｂ及び基地局Ｄに対して○のマークを付して、回線品質の良い、つまり回線品質レベルの高い基地局から３局を順に選択していることを示している。
【０００７】
図１４は、回線品質のレベルが高い基地局から順に並べると、基地局Ｂ、基地局Ｄ、基地局Ａ、基地局Ｅ、基地局Ｃとなっている。従って、選択合成に際して３つの基地局を選択するとすると、回線品質のレベルの高い順に、基地局Ｂと基地局Ｄと基地局Ａを選択する。ここで、基地局Ｂは回線品質のレベルが最も高く、基地局Ｂだけで正しく誤り訂正処
理を行えるとする。受信する順は、時間軸を左から右の順に受信動作を行い、基地局Ａ、基地局Ｂ、基地局Ｄとなる。基地局Ｂだけで正しく誤り訂正処理が行える、つまり、データの受信が正しくできるにも関わらず、早い時間に受信する回線品質の低い基地局Ａについて、パス選択、逆拡散、誤り訂正処理を行うため、基地局Ａ分の処理量が増加し、消費電力が増加することになる。
【特許文献１】特開２００１−７８２４５号公報（第９ページ  図７）
【発明の開示】
【発明が解決しようとする課題】
【０００８】
従来のセルサーチ処理装置及びセルサーチ処理方法においては、複数の基地局からの特定データ受信に選択合成を用いる際、回線品質が良い、つまり回線品質のレベルが高い順に複数の基地局を選択して同じデータを受信する。但し、回線品質のレベルが高い順に選択は行うが、受信する全ての基地局が、正しく誤り訂正処理を行える程度に回線品質が良い、つまり、回線品質のレベルが高い基地局である事を示すものではない。仮に、受信する複数の基地局の中で、同じデータを送信している時刻が遅い基地局が、回線品質が最も高く、かつ、この基地局だけで正しく誤り訂正処理できる場合を想定する。この場合、遅い時刻に正しく誤り訂正処理ができる回線品質のレベルが高い基地局が送信されるにも関わらず、同じデータを早い時刻で送信している回線品質のレベルが低い基地局について、パス選択、逆拡散、誤り訂正処理を行ってしまうため、回線品質のレベルが低い基地局分の処理量が増加し、消費電力が増加するという問題があった。
【０００９】
本発明は、従来の問題を解決するためになされたもので、選択合成を行う際に、早い時刻に受信した基地局の受信データが正しく誤り訂正処理できるように基地局を選択させ、遅い時刻に基地局から送信される同じデータの受信を行う回数を減らし、移動局で受信処理を行う基地局の数を低減させて、消費電力を低減することのできるセルサーチ処理装置、セルサーチ処理装置を搭載した移動局及びセルサーチ処理方法を提供することを目的とする。
【課題を解決するための手段】
【００１０】
従来の課題を解決するために、本発明のセルサーチ処理装置は、複数の基地局の同期用無線チャネルの回線品質を測定する回線品質測定手段および、複数の基地局からの同じデータが送信されるタイミング差を記憶する送信タイミング記憶手段を備え、前記タイミング差によって前記同期用無線チャネルの受信品質に対する閾値を切り替えて、受信対象基地局を選択するセル選択手段を有する構成である。
【００１１】
特に本発明のセル選択手段は、第一に、測定した同期用無線チャネルの回線品質のレベルが最も高い基地局を選択する。第二に、同期用無線チャネルの回線品質のレベルに対する閾値を、選択した回線品質が最も高い基地局よりも同じデータが送信されるタイミングが遅い基地局の場合は、選択した最も高い回線品質のレベルよりも低い値に設定する。第三に、選択した基地局以外に、次に選択する受信対象基地局の回線品質のレベルが、設定した閾値以上で、かつ、閾値からのマージンが大きい順に基地局を選択する構成を有している。
【００１２】
本構成によって、複数の基地局から送信される同じデータを選択合成を行う場合に、同じデータを最も早い時刻に受信する基地局の回線品質のレベルが最も高くなることにより、最も早い時刻に受信する基地局のデータによって正常に受信が行える可能性が高くなる。最も早い時刻に受信する基地局のデータによって正常に受信が行えれば、二番目以降の基地局の同じデータを受信して、選択合成する必要がなくなる。結果として、二番目以降の時刻に送信される基地局の受信を行う必要がなくなり、最も早い時刻に受信する基地局で正常に受信が行えたデータは二番目以降の基地局で同じデータを受信しないことによっ
て、受信する基地局の数若しくは受信するデータの数を減らし、消費電力を低減することができる。
【００１３】
また、本発明のセル選択手段は、第一に、同期用無線チャネルの回線品質のレベルの値が予め定めた閾値以上の基地局の中で同じデータが送信されるタイミングが最も早い基地局を選択する。第二に、他の複数の受信対象基地局選択に用いる同期用無線チャネルの回線品質のレベルに対する閾値を設定する。この第二に設定する閾値を、第一で選択した基地局より送信タイミングが遅い基地局の場合は、第一の選択で用いた予め定めた閾値よりも低い値に設定する。第三に、第二で設定した閾値を用いて、他の複数の受信対象基地局を、回線品質のレベルが設定した閾値以上で、かつ、閾値からのマージンが大きい順に基地局を選択する構成を有している。
【００１４】
本構成によって、複数の基地局から送信される同じデータを選択合成を行う場合に、最も回線品質が高い基地局よりも送信タイミングが遅い基地局の中に回線品質のレベルが高い基地局が少なく、逆に送信タイミングが早い基地局の中に回線品質のレベルが高い基地局が多い場合に、最も回線品質のレベルが高い基地局より送信タイミングが早い基地局の中で回線品質のレベルが高い受信対象基地局を選択することができる。回線品質のレベルが高い基地局を早い時刻に受信することで、早い時刻に正常受信が行える可能性が高くなる。早い時刻に受信する基地局のデータによって正常に受信が行えれば、遅い時刻の基地局の同じデータをを受信して、選択合成する必要がなくなる。結果として、遅い時刻に送信される基地局の受信を行う必要がなくなり、早い時刻に受信する基地局で正常に受信が行えたデータは遅い時刻の基地局からの同じデータを受信しないことによって、受信する基地局の数若しくは受信するデータの数を減らし、消費電力を低減することができる。
【００１５】
また、本発明のセル選択手段は、第一に、測定した回線品質のレベルが最も高い基地局を選択する。第二、第三として、他の複数の受信対象基地局選択に用いる同期用無線チャネルの回線品質のレベルに対する閾値を設定する。この設定する閾値を、第一に選択した基地局の送信タイミングよりも同じデータが送信されるタイミングが早い基地局と遅い基地局について別の値を設定する。第二に、第一に選択した基地局よりも同じデータが送信されるタイミングが早い基地局の場合は、閾値を第一で選択した基地局の最も高い回線品質のレベルよりも低い値に設定する。第三に、第一で選択した基地局よりも同じデータが送信されるタイミングが遅い基地局の場合は、閾値を第二で設定した閾値よりもさらに低く設定する。第四に、第一に選択した基地局以外の他の複数の受信対象基地局は、回線品質のレベルが第二と第三で設定した閾値以上で、かつ、閾値からのマージンが大きい順に基地局を選択する構成を有している。
【００１６】
本構成によって、複数の基地局から送信される同じデータを選択合成を行う場合に、最も回線品質のレベルが高い基地局より送信タイミングが遅い基地局の中に回線品質のレベルが高い基地局が少なく、逆に送信タイミングが早い基地局の中に回線品質のレベルが高い基地局が多い場合に、最も回線品質のレベルが高い基地局より送信タイミングが早い基地局の中で回線品質のレベルが高い受信対象基地局を選択することができる。回線品質のレベルが高い基地局を早い時刻に受信することで、早い時刻に正常受信が行える可能性が高くなる。早い時刻に受信する基地局のデータによって正常に受信が行えれば、遅い時刻の基地局の同じデータを受信して、選択合成する必要がなくなる。結果として、遅い時刻に送信される基地局の受信を行う必要がなくなり、受信する基地局の数若しくは受信するデータの数を減らし、消費電力を低減することができる。
【００１７】
また、本発明のセル選択手段では、第一に、測定した回線品質のレベルが最も高い基地局を選択する。第二に、他の複数の受信対象基地局選択に用いる閾値を、第一で選択した基地局より送信タイミングが遅い基地局の場合は、最も高い回線品質のレベルよりも低く
、かつ最も高い回線品質のレベルに応じた値に設定する。この閾値の設定は、最も高い回線品質のレベルが高い値の場合は高い値を設定し、最も高い回線品質のレベルが低い値の場合は低い値を設定する。このそれぞれの設定値は、最も高い回線品質のレベルに応じた値を予め定めておく。第三に、第一に選択した基地局以外の他の複数の受信対象基地局は、回線品質のレベルが設定した閾値以上で、かつ、閾値からのマージンが大きい順に基地局を選択する構成を有している。
【００１８】
本構成によって、複数の基地局から送信される同じデータを選択合成を行う場合に、最も高い回線品質のレベルが一つの基地局で正常に受信できる程度に高い値のときは、第一に選択した早い時刻に受信する最も回線品質のレベルが高い基地局のみで正常に受信できる可能性が高く、遅い時刻に受信する回線品質のレベルが正常に受信できる回線品質のレベルよりも低い基地局を選択合成に用いる必要がなくなる。よって、他の複数の受信対象基地局を選択するために用いる閾値を高い値に設定することで、要求する回線品質のレベルを高く設定して、受信対象基地局の選択基準を厳しくすることにより、受信対象基地局数を減らし、消費電力を低減することができる。
【００１９】
反対に最も高い回線品質のレベルが一つの基地局で正常に受信できる程度に高い値でない場合は、第一に選択した早い時刻に受信する最も回線品質のレベルが高い基地局のみで正常に受信できる可能性が低い。ゆえに、遅い時刻に受信する基地局の数をより多くし、選択合成の候補の数をより多くして、その中からできるだけ回線品質のレベルの高いデータを用いて選択合成を行うことで、誤り率向上を図る必要がある。よって、他の複数の受信対象基地局を選択するために用いる閾値を、一つの基地局のみで正常受信ができる程度に回線品質が高い場合に用いた値よりも低い値に設定する。つまり、要求する回線品質のレベルを低く設定して、受信対象基地局の選択基準を厳しくせずに、遅い時刻に受信する選択合成の候補となる受信対象基地局を増やして、誤り率の向上を図ることができる。
【発明の効果】
【００２０】
本発明によれば、選択合成時の受信対象となる基地局を選択する際に、同じデータが送信されるタイミング差に基づいて、基地局を選択する際に用いる回線品質に対する閾値を、回線品質が最も高い基地局を基準として送信タイミングが遅い基地局に対しては低く切り替えることにより、回線品質が高い基地局を早い時刻に受信できるようにすることによって、受信する基地局の数を減らし、消費電力を低減することができる。
【発明を実施するための最良の形態】
【００２１】
以下に本発明の実施の形態のセルサーチ処理装置、セルサーチ処理装置を搭載した移動局及びセルサーチ処理方法について図面を用いて説明する。
【００２２】
（実施の形態１）
図１に本発明の実施の形態１におけるセルサーチ処理装置及びセルサーチ処理方法の動作を説明するシステム図を示す。図１において、複数基地局からの特定データ受信に選択合成を用いる際には、基地局Ａ１０１と基地局Ｂ１０２から送信される同じデータであるＤａｔａ＃０は、データタイミング差をつけられて送信されている。移動局１００は、基地局ごとに独立にデータを復号して、正しく誤り訂正処理された基地局からのデータを最終的な復号データとして選択する。
【００２３】
図２に本発明の実施の形態１のセルサーチ処理装置を搭載した移動局１００のブロック図を示す。図１において、移動局１００は電波を受信するアンテナ２０１と、高周波処理を行う高周波受信処理部２０２と、受信対象基地局を選択するセルサーチ処理装置２００と、受信電力の大きなパスを選択するパスサーチ処理部２０６と、割り当てられたパスに対して逆拡散を行う逆拡散処理部２０７と、逆拡散処理部２０７のデータのレイク合成を
行うレイク合成処理部２０８と、誤り訂正を行う誤り訂正処理部２０９と、復号したデータの誤り検出のために巡回冗長検査（Ｃｙｃｌｉｃ  Ｒｅｄｕｎｄａｎｃｙ  Ｃｈｅｃｋ、以下ＣＲＣと略す）用のビットを付加して行うＣＲＣ判定処理を行うＣＲＣ判定処理部２１０と、ＣＲＣ判定結果によって選択合成を行う選択合成処理部２１１を有する構成である。なお、図２は、移動局の構成中、本発明の主要部分を示しており、例えば送信に関する手段等は省略している。
【００２４】
ここで、セルサーチ処理装置２００は各基地局の同期用無線チャネルの受信電界強度等の回線品質を測定するＣＰＩＣＨ（Ｃｏｍｍｏｎ  Ｐｉｌｏｔ  Ｃｈａｎｎｅｌ）レベル測定部２０３と、タイミング差によって前記同期用無線チャネルの回線品質に対する閾値を切り替えて受信対象基地局を選択するセル選択部２０４と、各基地局の同じデータが送信されるタイミング差を記憶する送信タイミング記憶部２０５を有する。この各基地局の送信タイミング情報は、あらかじめ基地局から移動局に対して送信されており、移動局で受信、データ復調を行い、送信タイミング記憶部２０５に記憶しておく。
【００２５】
図３に本発明の実施の形態１におけるセルサーチ処理装置及びセルサーチ処理方法の動作を説明するフロー図を示す。図３において受信対象基地局を選択する動作を説明する。まず、セルサーチ処理装置２００のＣＰＩＣＨレベル測定部２０３において、同期用無線チャネルであるＣＰＩＣＨのレベル測定を受信対象となる可能性のあるそれぞれの基地局に対して行う（Ｓ３０１）。次に、送信タイミング記憶部２０５に記憶されている各基地局の送信タイミングを参照する（Ｓ３０２）。測定を行った各基地局のＣＰＩＣＨのレベルと送信タイミングをもとに選択合成対象とするセルの選択を行う（Ｓ３０３）。ステップ３０３でのセル選択は、選択合成を行うためには複数の基地局からのデータが必要なため、受信対象基地局が複数存在すれば、複数の基地局を選択する。選択した複数の基地局について、未取得のデータ若しくは他の基地局で正常受信できなかったデータである受信対象データであるかの判定（Ｓ３０４）を行う。受信対象データの場合は、パスサーチを行い（Ｓ３０５）、割り当てられたパスに対して逆拡散を行う（Ｓ３０６）。その後、データのレイク合成（Ｓ３０７）、誤り訂正（Ｓ３０８）を行い、ＣＲＣ判定を行う（Ｓ３０９）。ＣＲＣ判定結果がＯＫであれば（Ｓ３１０）、上位レイヤにデータ転送を行う（Ｓ３１１）。選択合成においては、図１で説明したように異なる基地局よりデータタイミング差をつけて送信される同じデータを受信して、正常受信できたデータを選択する。遅い時刻に同じデータを送信している基地局から既に受信している同じデータを受信する際には（Ｓ３１２）、ステップ３１０でＣＲＣ判定結果がＯＫであり正常にデータが取得できていれば、再度受信を行う必要は無いので受信選択対象基地局から除外する（Ｓ３１３）。次に受信するデータがあれば（Ｓ３１４）、次データの処理を開始する（Ｓ３１５）。受信対象基地局から除外された基地局の受信データは、受信対象データではないのでステップ３０４で判定され、パスサーチ、逆拡散、レイク合成、誤り訂正などの処理を行っていない。このようにして処理量を削減している。ＣＲＣ判定結果がＮＧの場合（Ｓ３１０）には、ステップ３１０でＣＲＣ判定結果がＮＧとなったデータと同じデータを遅い時刻に送信している基地局があれば（Ｓ３１６）、データを受信対象とする（Ｓ３１７）。ＣＲＣ判定結果はＮＧであり、データ取得のために引き続き受信する必要があるのでステップ３１４、ステップ３１５を経由して、ステップ３０４で受信受信対象データと判定され（Ｓ３０４）、パスサーチ、逆拡散、レイク合成、誤り訂正などの処理を継続する。
【００２６】
なお、ステップ３０５のパスサーチは同じパスタイミングで以降の処理を行うのであえれば、データ毎に行う必要はない。またステップ３０４にて受信対象データの判定を行い、受信対象データでなければ、パスサーチ以降の処理を全て行わない図として示したが、パスサーチ、逆拡散、レイク合成、誤り訂正等の一部の処理のみを行わないとすることも可能である。
【００２７】
図４に図３のステップ３０３のセル選択について詳しく説明する。同期用無線チャネルであるＣＰＩＣＨのレベル測定を対象となるそれぞれの基地局に対して行った後（Ｓ３０１）、送信タイミング記憶部２０５に記憶されている各基地局の送信タイミングを参照する（Ｓ３０２）。そしてステップ３０３では、次の３ステップを行い、セル選択を行う。第一に、ステップ３０１で測定した中でＣＰＩＣＨのレベルが最も高い基地局を受信対象基地局として選択する（Ｓ４１）。第二に、送信タイミング記憶部２０５に記憶されている各基地局の送信タイミングに基づいて、受信を行う複数の基地局のうちステップ４１で選択した以外の基地局を選択するために用いるＣＰＩＣＨのレベルを比較する閾値を設定する。すなわち、ステップ４１で選択した基地局より同じデータを送信するタイミングが遅い基地局に用いる閾値については、ステップ４１で選択した基地局のＣＰＩＣＨのレベルより低い値に設定する（Ｓ４２）。第三に、ＣＰＩＣＨのレベルが閾値以上の基地局の中で閾値からのマージンが大きい基地局から順に受信対象基地局を選択する（Ｓ４３）。
【００２８】
図５に図４で説明した閾値の設定とセル選択について説明する。図５は、複数の基地局からの同じデータを送信している時刻とＣＰＩＣＨのレベルの関係であり、左から右に時間軸をとり、縦軸はＣＰＩＣＨのレベルを示す。図５において、ＣＰＩＣＨのレベルが高い基地局から順に並べると、基地局Ｂ、基地局Ｄ、基地局Ａ、基地局Ｅ、基地局Ｃとなる。また、図５で説明するにあたり、複数の選択する基地局の数を３局として説明する。第一に、ステップ４１で第一に選択する基地局は、最もＣＰＩＣＨのレベルが高い基地局Ｂとなる。第二に、ステップ４２で設定する点線で示した閾値５１は、ステップ４１で選択した基地局Ｂより遅い基地局Ｃ〜Ｅに用いる閾値であり、かつ、ステップ４１で選択した基地局のＣＰＩＣＨのレベルより低い値である。第三に、ステップ４３でＣＰＩＣＨのレベルが閾値５１以上の基地局である基地局Ｄと基地局Ｅの中で、閾値からのマージンが大きい順に基地局Ｄ、基地局Ｅを受信対象基地局として選択する。
【００２９】
図６に本発明の実施の形態１におけるセルサーチ処理装置及びセルサーチ処理方法の動作説明のためのタイミング図を示す。図６は左から右に時間軸を取り、基地局Ｂと基地局Ｄからは同じデータをタイミング差を設けてそれぞれ送信されるデータ内容を示している。図６において、基地局Ｄから送信されるデータは、基地局Ｂと同じデータをタイミング差６１をつけて送信されており、移動局は、基地局ごとに独立にデータを復号して、正しく誤り訂正処理された基地局からのデータを最終的な復号データとして選択する。ここで、時刻Ｔにおいて移動局で受信した基地局ＢのＤａｔａ＃０のデータについては、ＣＲＣ判定結果がＯＫとなっている。よって、基地局Ｄから同じデータが送信される時刻Ｔ＋２においては、移動局は基地局Ｄのデータを受信する必要がないため、受信処理を行わないことで消費電力を低減することができる。
【００３０】
逆に消費電力を低減できない場合について、以下に説明しておく。基地局Ｂで受信したデータのＣＲＣ判定結果がＮＧであった場合の動作である。時刻Ｔ＋２において移動局で受信した基地局ＢのＤａｔａ＃２のデータは、ＣＲＣ判定結果がＮＧであるため、基地局Ｄから同じデータが送信される時刻Ｔ＋４において、移動局は基地局Ｄのデータを受信する必要がある。よって、受信処理を基地局Ｄについても行うことになり、この場合は消費電力の低減ができないことになる。
【００３１】
本発明の実施の形態１のセルサーチ処理装置及びセルサーチ処理方法によれば、選択合成を行う際に、同じデータを最も早い時刻に受信する基地局のＣＰＩＣＨのレベルが最も高くなる。つまり、最も早く受信した基地局のデータの信頼性が最も高くなることになる。よって、受信時刻が２番目以降の基地局を受信する必要性が減り、受信する基地局の数若しくはデータ数を減らし、消費電力を低減することができる。
【００３２】
（実施の形態２）
次に、本発明の実施の形態２について説明する。本発明の実施の形態２のセルサーチ処理装置及びセルサーチ処理方法は、第一に、ＣＰＩＣＨレベルが予め定めた閾値以上の基地局の中で送信タイミングが最も早い基地局を選択し、第二に、第一で選択した基地局より送信タイミングが遅い基地局の閾値を第一で用いた閾値の値よりも低い予め定めた値を設定し、第三に、第二で定めた閾値以上の基地局を閾値からのマージンが大きい順に上位から選択する構成にしている。実施の形態２と実施の形態１との違いは、第一の基地局の選択を予め定めた閾値以上の基地局の中で送信タイミングが最も早い基地局を選択するようにした点にある。本発明の実施の形態２のセルサーチ処理装置を組み込んだ移動局１００のブロック図は実施の形態１の図２と同一であり、実施の形態２では説明を省略する。また、本発明の実施の形態２のセルサーチ処理装置及びセルサーチ処理方法のフロー図は実施の形態１の図３と同一であり、同じく実施の形態２では説明を省略する。
【００３３】
図７に本発明の実施の形態２のセルサーチ処理装置及びセルサーチ処理方法のセル選択の動作について示す。図７は図３のステップ３０３のセル選択について説明するものである。すなわち、同期用無線チャネルであるＣＰＩＣＨのレベル測定を対象となるそれぞれの基地局に対して行う（Ｓ３０１）。次に、送信タイミング記憶部２０５に記憶されている各基地局の送信タイミングを参照する（Ｓ３０２）。そしてセル選択ステップ３０３を行うのであるが、第一に、ステップ３０１で測定した中でＣＰＩＣＨのレベルが予め定めた閾値以上で送信タイミングが最も早い基地局を受信対象基地局として選択する（Ｓ７１）。ここで第一の基地局選択に用いた閾値は、ＣＰＩＣＨのレベルがこの閾値以上であれば選択合成により正常に受信が可能である値とするが、設定の変更は可能である。第二に、送信タイミング記憶部２０５に記憶されている各基地局の送信タイミングに基づいて、受信を行う複数の基地局のうちステップ７１で選択した以外の基地局を選択するために用いる閾値を設定する。すなわち、ステップ７１で選択した基地局より同じデータを送信するタイミングが遅い基地局に用いる閾値を、ステップ７１で用いた閾値より低い予め定めた値に設定する（Ｓ７２）。第三に、ＣＰＩＣＨのレベルがステップ７２で設定した閾値以上の基地局の中で閾値からのマージンが大きい基地局を上位から順に受信対象基地局として選択を行う（Ｓ７３）。
【００３４】
図８に図７で説明した閾値の設定とセル選択について説明する。図８は、複数の基地局から同じデータを送信している時刻とＣＰＩＣＨのレベルの関係であり、左から右に時間軸をとり、縦軸はＣＰＩＣＨのレベルを示す。図８において、ＣＰＩＣＨのレベルが高い基地局から順に並べると、基地局Ｃ、基地局Ｂ、基地局Ｅ、基地局Ａ、基地局Ｄとなる。また、図８で説明するにあたり、複数の選択する基地局の数を３局として説明する。第一に、ステップ７１で第一に選択する基地局は、ＣＰＩＣＨのレベルが予め定めた点線で示した閾値８１以上で送信タイミングが最も早い基地局Ａとなる。第二に、ステップ７２で設定する点線で示した閾値８２は、ステップ７１で選択した基地局Ａより送信タイミングが遅い基地局Ｂ〜Ｅに用いる閾値であり、かつ、ステップ７１で基地局の選択に用いた閾値８１より低い予め定めた値である。第三に、ステップ７３でＣＰＩＣＨのレベルが閾値８２以上の基地局である基地局Ｂ〜基地局Ｅの中で、閾値からのマージンが大きい順に基地局Ｃ、基地局Ｂを受信対象基地局として選択する。基地局Ｅは選択する基地局の数を３として説明をしているため選択していないが、選択する基地局の数を増やせば選択は可能である。図８では基地局Ａ、基地局Ｂ、基地局Ｃの選択した基地局に丸印をつけている。
【００３５】
ここで、実施の形態２のセル選択方法が有利な点について、移動局が計測した複数の基地局のＣＰＩＣＨレベルの状況が、図８のような場合について説明する。実施の形態１で第一に選択した最もＣＰＩＣＨのレベルが高い基地局Ｃの送信タイミングを時刻の基準とすると、送信タイミングが早い時刻にはＣＰＩＣＨレベルが閾値８１以上である基地局が多く、基地局Ａと基地局Ｂが存在する。送信タイミングが遅い時刻にはＣＰＩＣＨレベルが閾値８１以上である基地局が少なく、基地局Ｅのみである。このとき、実施の形態２の
セル選択方法は、実施の形態１の場合と比較して、送信タイミングが早い時刻のＣＰＩＣＨレベルが一定の閾値以上の基地局を選択するのに有利である。すなわち、図８の状態で実施の形態１のセル選択方法を用いるとすると、第一に、ＣＰＩＣＨのレベルが最も高い基地局Ｃを選択し、第二に、第一に選択した基地局Ｃよりも送信タイミングの遅い基地局に用いる閾値８２を設定し、第三に基地局Ｃより送信タイミングの遅く、かつ閾値８２以上の基地局Ｄと基地局Ｅを選択する。すなわち、実施の形態１のセル選択方法では、ＣＰＩＣＨのレベルが最も高い基地局Ｃよりも送信タイミングが遅い時刻の基地局である基地局Ｄと基地局Ｅを選択する方法であり、基地局Ａと基地局Ｂは選択できない。しかし、実施の形態２は予め定めた閾値以上の基地局の中で送信タイミングが早い時刻の基地局を積極的に選択する方法であり、図８のような場合には送信時刻が早く、かつＣＰＩＣＨのレベルが高い基地局Ａと基地局Ｂを選択できる。なお、上記の説明では実施の形態１の方法を適用した場合の説明として、閾値の設定を閾値８２としたが、図５で用いた実施の形態１の閾値５１と図８で用いた実施の形態２の閾値８２が同一であることを示すものではない。
【００３６】
本発明の実施の形態２のセルサーチ処理装置及びセルサーチ処理方法によれば、選択合成を行う際に、最もＣＰＩＣＨのレベルが高い基地局より送信タイミングが遅い基地局の中にＣＰＩＣＨのレベルが高いすなわち選択合成により正常受信が可能なレベルの基地局が少ない場合でも、送信タイミングが早い基地局の中でＣＰＩＣＨのレベルが高い基地局を受信対象基地局として選択することができ、受信対象基地局の数若しくはデータ数を減らし、消費電力を低減することができる。
【００３７】
なお、第一の選択で用いた予め定めた閾値と、第二に設定した第一の基地局選択で用いる閾値よりも低い予め定めた閾値は、固定値ではなくいくつかのパターンをもつこと、又、移動局の受信状態によっても設定変更が可能な値である。
【００３８】
（実施の形態３）
次に、本発明の実施の形態３について説明する。本発明の実施の形態３のセルサーチ処理装置及びセルサーチ処理方法は、第一に、ＣＰＩＣＨレベルが最も高い基地局を選択し、第二に、第一で選択した基地局より送信タイミングが早い基地局の閾値を第一で選択した基地局である最も高いＣＰＩＣＨのレベルの値よりも低く設定し、第三に、第一で選択した基地局より送信タイミングが遅い基地局の閾値を第二で用いた閾値の値よりもさらに低く設定し、第四に、第二と第三で設定した閾値以上の基地局の中で閾値からのマージンが大きい順に上位から選択する構成にしている。実施の形態３と実施の形態１との違いは、第二の閾値を第一で選択した基地局より送信タイミングが早い基地局についても設定する点にある。本発明の実施の形態３のセルサーチ処理装置を組み込んだ移動局１００のブロック図は実施の形態１の図２と同一であり、実施の形態３では説明を省略する。また、本発明の実施の形態３のセルサーチ処理装置及びセルサーチ処理方法のフロー図は実施の形態１の図３と同一であり、同じく実施の形態３では説明を省略する。
【００３９】
図９に本発明の実施の形態３のセルサーチ処理装置及びセルサーチ処理方法のセル選択の動作について示す。図９は図３のステップ３０３のセル選択について説明するものである。同期用無線チャネルであるＣＰＩＣＨのレベル測定を対象となるそれぞれの基地局に対して行う（Ｓ３０１）。次に、送信タイミング記憶部２０５に記憶されている各基地局の送信タイミングを参照する（Ｓ３０２）。そしてセル選択ステップ３０３を行うのであるが、第一に、ステップ３０１で測定した中でＣＰＩＣＨのレベルが最も高い基地局を受信対象基地局として選択する（Ｓ９１）。第二に、送信タイミング記憶部２０５に記憶されている各基地局の送信タイミングを参照し、受信を行う複数の基地局のうちステップ９１で選択したＣＰＩＣＨのレベルが最も高い基地局より同じデータを送信するタイミングが早い基地局に用いる閾値を、最も高いＣＰＩＣＨのレベルより低く設定する（Ｓ９２）
。第三に、ステップ９１で選択したＣＰＩＣＨのレベルが最も高い基地局より同じデータを送信するタイミングが遅い基地局に用いる閾値を、ステップ９２で設定した閾値よりもさらに低く設定する（Ｓ９３）。第四に、ＣＰＩＣＨのレベルがステップ９２とステップ９３で設定した閾値以上の基地局の中で閾値からのマージンが大きい基地局を上位から順に受信対象基地局として選択を行う（Ｓ９４）。
【００４０】
図１０に図９で説明した閾値の設定とセル選択について説明する。図１０は、複数の基地局から同じデータを送信している時刻とＣＰＩＣＨのレベルの関係であり、左から右に時間軸をとり、縦軸はＣＰＩＣＨのレベルを示す。図１０において、ＣＰＩＣＨのレベルが高い基地局から順に並べると、基地局Ｃ、基地局Ｂ、基地局Ｅ、基地局Ａ、基地局Ｄとなる。また、図１０で説明するのは、複数の選択する基地局の数を３局として説明する。第一に、ステップ９１で第一に選択する基地局は、ＣＰＩＣＨのレベルが最も高い基地局Ｃとなる。第二に、ステップ９２で設定する点線で示した閾値１０１は、ステップ９１で選択した基地局Ｃより早い基地局Ａ、基地局Ｂに用いる閾値であり、かつ、ステップ９１で選択した基地局のＣＰＩＣＨのレベルより低い値である。第三に、ステップ９２で設定する点線で示した閾値１０２は、ステップ９１で選択した基地局Ｃより遅い基地局Ｄ、基地局Ｅに用いる閾値であり、かつ、ステップ９２で設定した閾値１０１より低い値である。第四に、ステップ９４でＣＰＩＣＨのレベルが閾値１０１以上である基地局Ａと基地局Ｂ、閾値が１０２以上である基地局Ｄと基地局Ｅの中で、閾値からのマージンが大きい順に基地局Ｅ、基地局Ｂを受信対象基地局として選択する。図１０では基地局Ｂ、基地局Ｃ、基地局Ｅの選択した基地局に丸印をつけている。
【００４１】
ここで、実施の形態３のセル選択方法が有利な点について、移動局が計測した複数の基地局のＣＰＩＣＨレベルの状況が、図１０の場合について説明する。最もＣＰＩＣＨのレベルが高い基地局Ｃの送信タイミングを時刻の基準として、送信タイミングが早い時刻にはＣＰＩＣＨレベルが閾値１０１以上である基地局Ａと基地局Ｂが存在する。送信タイミングが遅い時刻にはＣＰＩＣＨレベルが閾値１０２以上であるのは基地局Ｄと基地局Ｅである。また、閾値１０１は閾値１０２よりも高い値であり、閾値１０１を用いて選択される基地局の方が閾値１０２を用いて選択される基地局よりもＣＰＩＣＨのレベルが高い。このとき、実施の形態３のセル選択方法は、実施の形態１の場合と比較して、送信タイミングが早い時刻のＣＰＩＣＨレベルが高い基地局を選択するのに有利である。すなわち、図１０の状態で実施の形態１のセル選択方法を用いるとすると、第一に、ＣＰＩＣＨのレベルが最も高い基地局Ｃを選択し、第二に、第一に選択した基地局Ｃよりも送信タイミングの遅い基地局に用いる閾値１０２を設定し、第三に基地局Ｃより送信タイミングの遅く、かつ閾値１０２以上の基地局Ｄと基地局Ｅを選択する。すなわち、実施の形態１のセル選択方法では、ＣＰＩＣＨのレベルが最も高い基地局Ｃよりも送信タイミングが遅い時刻の基地局である基地局Ｄと基地局Ｅを選択する方法であり、基地局Ａと基地局Ｂは選択できない。実施の形態３は最もＣＰＩＣＨのレベルが高い基地局より送信タイミングが早い時刻であり、かつＣＰＩＣＨのレベルが高い基地局を積極的に選択する方法である。図１０の場合には送信時刻が早く、かつＣＰＩＣＨのレベルが高い基地局Ｂを選択できる。ＣＰＩＣＨの最も高い基地局を基準として、送信時刻が早く、ＣＰＩＣＨのレベルが高い基地局を選択することで、早い時刻で正常受信が行えることになり、受信する基地局数若しくは受信データ数を減らすことができる。なお、上記の説明では実施の形態１の方法を適用した場合の説明として、閾値の設定を閾値１０２としたが、図５で用いた実施の形態１の閾値５１と図１０で用いた実施の形態３の閾値１０２が同一であることを示すものではない。
【００４２】
本発明の実施の形態３のセルサーチ処理装置及びセルサーチ処理方法によれば、選択合成を行う際に、最もＣＰＩＣＨのレベルが高い基地局の送信タイミングを基準として、送信タイミングが早い時刻のＣＰＩＣＨレベルが閾値以上である基地局が多く、送信タイミ
ングが遅い時刻のＣＰＩＣＨレベルが閾値以上である基地局が少ない場合であっても、送信タイミングが早い基地局の中でＣＰＩＣＨのレベルが高い基地局を受信対象基地局として選択することができ、受信対象基地局の数若しくはデータ数を減らし、消費電力を低減することができる。
【００４３】
なお、第二で設定した閾値と、第三に設定した閾値は、固定値ではなく移動局のＣＰＩＣＨのレベルによっていくつかのパターンをもつ等して設定変更が可能な値である。
【００４４】
（実施の形態４）
次に、本発明の実施の形態４について説明する。本発明の実施の形態４のセルサーチ処理装置及びセルサーチ処理方法は、第一に、ＣＰＩＣＨレベルが最も高い基地局を選択し、第二に、第一で選択した基地局より送信タイミングが遅い基地局の閾値を最も高いＣＰＩＣＨのレベルに応じて設定し、第三に、第二で定めた閾値以上の基地局の中で上位から順に選択する構成にしている。実施の形態４と実施の形態１との違いは、第二の閾値を第一で選択した基地局のＣＰＩＣＨのレベルに応じて、一つの基地局で正常受信できる程度に高い場合は高い値に、一つの基地局で正常受信できない程度に低い場合は低い値に設定する点にある。本発明の実施の形態４のセルサーチ処理装置を組み込んだ移動局１００のブロック図は実施の形態１の図２と同一であり、実施の形態４では説明を省略する。また、本発明の実施の形態４のセルサーチ処理装置及びセルサーチ処理方法のフロー図は実施の形態１の図３と同一であり、同じく実施の形態４では説明を省略する。
【００４５】
図１１に本発明の実施の形態４のセルサーチ処理装置及びセルサーチ処理方法のセル選択の動作について示す。図１１は図３のステップ３０３のセル選択について説明するものである。すなわち、同期用無線チャネルであるＣＰＩＣＨのレベル測定を対象となるそれぞれの基地局に対して行う（Ｓ３０１）。次に、送信タイミング記憶部２０５に記憶されている各基地局の送信タイミングを参照する（Ｓ３０２）。そしてセル選択ステップ３０３を行うのであるが、第一に、ステップ３０１で測定した中でＣＰＩＣＨのレベルが最も高い基地局を受信対象基地局として選択する（Ｓ１１１）。第二に、送信タイミング記憶部２０５に記憶されている各基地局の送信タイミングおよび最も高いＣＰＩＣＨのレベルを参照し、受信を行う複数の基地局のうちステップ１１１で選択した以外の基地局を選択するために用いる閾値を設定する。閾値は、第一に選択した基地局より同じデータを送信するタイミングが遅い基地局に対して用いる値である。第一に選択した基地局の最も高いＣＰＩＣＨのレベルよりも低く、かつ最も高いＣＰＩＣＨのレベルに応じた値であり、最も高いＣＰＩＣＨのレベルが高ければ閾値を高く、最も高いＣＰＩＣＨのレベルが低ければ閾値を低く設定する（Ｓ１１２）。第三に、ＣＰＩＣＨのレベルが第二で定めた閾値以上の基地局の中で閾値からのマージンが大きい基地局を上位から順に受信対象基地局として選択を行う（Ｓ１１３）。
【００４６】
図１２に図１１で説明した閾値の設定とセル選択について説明する。図１２は、複数の基地局から同じデータを送信している時刻とＣＰＩＣＨのレベルの関係であり、左から右に時間軸をとり、縦軸はＣＰＩＣＨのレベルを示す。図１２は、最も高いＣＰＩＣＨのレベルが一つの基地局で正常受信ができる程度に高く、閾値も高い値に設定する場合の図である。ＣＰＩＣＨのレベルが高い基地局から順に並べると、基地局Ｂ、基地局Ｄ、基地局Ａ、基地局Ｅ、基地局Ｃとなる。また、複数の選択する基地局の最大数を３局として説明する。第一に、ステップ１１１で第一に選択する基地局は、ＣＰＩＣＨのレベルが最も高い基地局Ｂとなる。第二に、ステップ１１２で設定する点線で示した閾値１２１は、ステップ１１１で選択した基地局Ｂより遅い基地局Ｃ〜基地局Ｅに用いる閾値であり、かつ、ステップ１１１で選択した基地局ＢのＣＰＩＣＨのレベルより低い値である。ここで、閾値１２１は基地局ＢのＣＰＩＣＨのレベルが正常に受信できる程度に高いレベルであるので、高い値を設定している。第三に、ステップ１１３でＣＰＩＣＨのレベルが閾値１２１
以上である基地局Ｄを選択している。閾値が１２１以上である基地局が複数存在すれば、実施の形態１〜３と同様に、閾値からのマージンが大きい順に受信対象基地局として選択する。図１２では基地局Ｂ、基地局Ｄの選択した基地局に丸印をつけている。
【００４７】
図１３に図１１で説明した閾値の設定とセル選択について説明する。図１３は、図１２と同様の図であり、簡単な説明は図１２と重複するので省略する。図１３は、最も高いＣＰＩＣＨのレベルが一つの基地局で正常に受信できない程度に低く、閾値も低い値に設定する場合の図である。ＣＰＩＣＨのレベルが高い基地局から順に並べると、基地局Ｂ、基地局Ｄ、基地局Ａ、基地局Ｅ、基地局Ｃとなる。また、図１３では、複数の選択する基地局の数を３局として説明する。第一に、ステップ１１１で第一に選択する基地局は、ＣＰＩＣＨのレベルが最も高い基地局Ｂとなる。第二に、ステップ１１２で設定する点線で示した閾値１３１は、ステップ１１１で選択した基地局Ｂより遅い基地局Ｃ〜基地局Ｅに用いる閾値であり、かつ、ステップ１１１で選択した基地局のＣＰＩＣＨのレベルより低い値である。ここで、閾値１３１は基地局ＢのＣＰＩＣＨのレベルが正常に受信できる程度に高いレベルではないので、低い値を設定している。第三に、ステップ１１３でＣＰＩＣＨのレベルが閾値１３１以上である基地局Ｃ〜基地局Ｅの中で、閾値からのマージンが大きい順に基地局Ｄと基地局Ｅを受信対象基地局として選択する。図１３では基地局Ｂ、基地局Ｄ、基地局Ｅの選択した基地局に丸印をつけている。
【００４８】
なお閾値１３１は、最も高いＣＰＩＣＨのレベルに応じて予め定めた値であり、固定値ではなくいくつかのパターンを持つこと、また、移動局の受信状態によっても設定変更が可能な値である。
【００４９】
本発明の実施の形態４のセルサーチ処理装置及びセルサーチ処理方法によれば、第一に選択する基地局はＣＰＩＣＨのレベルが最も高い基地局を選択し、その他の基地局を選択するための閾値を、最も高いＣＰＩＣＨのレベルに応じて設定する。最も高いＣＰＩＣＨのレベルが高い場合は、受信データの信頼性が高いので、１つの基地局で正常に受信ができる確率が高くなる。よって、ＣＰＩＣＨのレベルが低い基地局を受信する必要がなく、受信対象基地局数を減らしてもよいことになる。つまり、最も高いＣＰＩＣＨのレベルが高い場合は、ＣＰＩＣＨのレベルが最も高い基地局以外の基地局を選択するために用いる閾値は高く設定して、受信対象基地局を減らし、消費電力を低減することができる。
【００５０】
反対に最も高いＣＰＩＣＨのレベルが低い場合は、受信データの信頼性が低いので、１つの基地局で正常に受信ができる確率が低くなる。よって、ＣＰＩＣＨのレベルが最も高い基地局以外の基地局を選択するために用いる閾値を低く設定して、受信対象基地局数を増やして、誤り率を向上させることができる。
【００５１】
なお、以上の説明では、送信タイミング情報は、あらかじめ基地局から送信されており、移動局で受信、データ復調を行う例について説明したが、各基地局からの送信データを移動局で受信し、受信したデータから送信タイミング情報を算出する方法についても同様に実施可能である。
【産業上の利用可能性】
【００５２】
本発明のセルサーチ処理装置、セルサーチ処理装置を搭載した移動局及びセルサーチ処理方法は、選択合成を行う場合の受信対象となるセルを選択する際に、同じデータが送信されるタイミング差に基づき回線品質に対する閾値を切り替えて、回線品質のレベルが高い基地局を早い時刻に受信できるようにして、受信する基地局の数を減らす確率を増加させ、消費電力を低減することができるので、移動体通信システム、特にＣＤＭＡ通信などにおける移動局等として有用である。
【図面の簡単な説明】
【００５３】
【図１】本発明の実施の形態１におけるセルサーチ処理装置及びセルサーチ処理方法の動作説明のためのシステム図
【図２】本発明の実施の形態１におけるセルサーチ処理装置を搭載した移動局のブロック図
【図３】本発明の実施の形態１におけるセルサーチ処理装置及びセルサーチ処理方法の動作説明のためのフロー図
【図４】本発明の実施の形態１におけるセルサーチ処理装置及びセルサーチ処理方法のセル選択の動作説明のためのフロー図
【図５】本発明の実施の形態１におけるセルサーチ処理装置及びセルサーチ処理方法のセル選択と閾値の設定を説明するための回線品質と時間の分布を示す図
【図６】本発明の実施の形態１におけるセルサーチ処理装置及びセルサーチ処理方法の動作説明のためのタイミング図
【図７】本発明の実施の形態２におけるセルサーチ処理装置及びセルサーチ処理方法のセル選択の動作説明のためのフロー図
【図８】本発明の実施の形態２におけるセルサーチ処理装置及びセルサーチ処理方法のセル選択と閾値の設定を説明するための回線品質と時間の分布を示す図
【図９】本発明の実施の形態３におけるセルサーチ処理装置及びセルサーチ処理方法のセル選択の動作説明のためのフロー図
【図１０】本発明の実施の形態３におけるセルサーチ処理装置及びセルサーチ処理方法のセル選択と閾値の設定を説明するための回線品質と時間の分布を示す図
【図１１】本発明の実施の形態４におけるセルサーチ処理装置及びセルサーチ処理方法のセル選択の動作説明のためのフロー図
【図１２】本発明の実施の形態４におけるセルサーチ処理装置及びセルサーチ処理方法の最も高いＣＰＩＣＨのレベルが高い場合のセル選択と閾値の設定を説明するための回線品質と時間の分布を示す図
【図１３】本発明の実施の形態４におけるセルサーチ処理装置及びセルサーチ処理方法の最も高いＣＰＩＣＨのレベルが低い場合のセル選択と閾値の設定を説明するための回線品質と時間の分布を示す図
【図１４】従来のセルサーチ処理装置及びセルサーチ処理方法のセル選択と閾値の設定を説明するための回線品質と時間の分布を示す図
【符号の説明】
【００５４】
１００    移動局
１０１，１０２    基地局
２００    セルサーチ処理装置
２０３    ＣＰＩＣＨレベル測定部
２０４    セル選択部
２０５    送信タイミング記憶部
２１０    ＣＲＣ判定処理部
２１１    選択合成処理部
【図１】
2006186519.tif 000003
【図２】
2006186519.tif 000004
【図３】
2006186519.tif 000005
【図４】
2006186519.tif 000006
【図５】
2006186519.tif 000007
【図６】
2006186519.tif 000008
【図７】
2006186519.tif 000009
【図８】
2006186519.tif 000010
【図９】
2006186519.tif 000011
【図１０】
2006186519.tif 000012
【図１１】
2006186519.tif 000013
【図１２】
2006186519.tif 000014
【図１３】
2006186519.tif 000015
【図１４】
2006186519.tif 000016